(57)【要約】【課題】使用者が遠心分離機から離れた場所や居室で他の作業を行いながら遠心分離機の運転状態の把握や、遠心分離機の運転条件の設定や変更を行える遠心分離機を提供する【解決手段】装置部３０は、試料を分離するロータ３１と、ロータ３１を回転駆動する駆動部３５とを備えている。制御部４０は、装置部３０の運転を制御する。操作パネル２０は、少なくともロータ３１の回転時間および回転速度を含む装置部３０の運転条件の設定操作を行う操作部２１と、装置部の運転条件と運転状態を表示する表示部２２とを備えている。制御部４０から離れた場所には、操作パネル２０とは別に操作パネルと同様の機能を有する遠隔操作パネル５０が備えられている。【選択図】図１
2005121505.tif 000002
【特許請求の範囲】
【請求項１】
試料を分離するロータと、該ロータを回転駆動する駆動部とを備えた装置部と、
該装置部の運転を制御する制御部と、
該装置部の運転条件の設定操作を行う操作部と、該装置部の運転条件と運転状態を表示する表示部とを備え、該制御部に接続された操作パネルとを備えた遠心分離機において、
該操作パネルとは別に、該装置部の運転条件の設定操作を行う遠隔操作部を有する遠隔操作パネルを備えたことを特徴とする遠心分離機。
【請求項２】
該遠隔操作パネルは、該操作部で設定された該装置部の運転条件を表示する遠隔表示部を更に有することを特徴とする請求項１に記載の遠心分離機。
【請求項３】
該遠隔表示部は、該装置部の運転状態を表示することを特徴とする請求項２に記載の遠心分離機。
【請求項４】
該遠隔操作パネルは、該装置部の運転状態を表示する遠隔表示部を有することを特徴とする請求項１に記載の遠心分離機。
【請求項５】
該操作パネルの該操作部には、該装置部の運転スタートスイッチと運転ストップスイッチが設けられ、該遠隔操作パネルの該遠隔操作部には、該装置部の遠隔運転スタートスイッチと遠隔運転ストップスイッチが設けられていることを特徴とする請求項１に記載の遠心分離機。
【請求項６】
該操作パネルの該操作部には、該装置部の停止操作もしくは該装置部への供給電源の遮断操作が可能な緊急停止スイッチが備えられ、該遠隔操作パネルの該遠隔操作部には、該装置部の停止操作もしくは該装置部への供給電源の遮断操作が可能な遠隔緊急停止スイッチが備えられていることを特徴とする請求項１に記載の遠心分離機。
【請求項７】
該遠隔操作パネルは、該制御部から離れた場所に設けられていることを特徴とする請求項１に記載の遠心分離機。
【請求項８】
該装置部の運転条件は、少なくとも該ロータの回転時間および回転速度を含むことを特徴とする請求項１に記載の遠心分離機。
【請求項９】
該装置部と、該制御部とが同一筐体内に配置されていることを特徴とする請求項１に記載の遠心分離機。
【請求項１０】
該装置部は、第１筐体内に配置され、該遠隔操作パネルは、該第１筐体付近に設けられ、該制御部は、第２筐体内に配置され、該操作パネルは、該第２筐体に設けられていることを特徴とする請求項１に記載の遠心分離機。
【発明の詳細な説明】
【技術分野】
【０００１】
本発明は、運転条件の設定操作を行う操作部と、運転条件と運転状態を表示する表示部を有する操作パネルを備えた遠心分離機に関する。
【背景技術】
【０００２】
図３に従来の遠心分離機２０１を示す。遠心分離機２０１は、試料から被分離試料の分離を行う装置部２３０と、装置部２３０を制御する制御部２４０とを備えた筐体２１０と、装置部２３０の運転条件を設定する操作パネル２２０とを備えている。（例えば、特許文献１、２参照）
【０００３】
装置部２３０は、試料から被分離試料を分離するためのロータ２３１を備えており、ロータ２３１はロータ室２３２に配置されている。ロータ室２３２の上側には、ロータ室２３２を密閉し、筐体２１０の一部を構成するドア２３３が設けられている。また、装置部２３０には、回転軸２３４を介してロータ２３１を回転駆動するため駆動部２３５が設けられている。
【０００４】
ドア２３３の上側には、操作パネル２２０が配置されている。操作パネル２２０には、運転条件の設定操作を行う操作部２２１と、運転条件と運転状態を表示する表示部２２２が備えられている。また、操作パネル２２０は、装置部２３０の運転スタートスイッチ２２３と運転ストップスイッチ２２４とを有する。操作パネル２２０と制御部２４０とは操作信号配線２２５により接続されている。また、制御部２４０と駆動部２３５とは、制御信号配線２４１により接続される。
【０００５】
操作部２２１で設定された運転条件は、操作信号配線２２５を介して制御部２４０へ出力され、制御部２４０は、制御信号配線２４１を介して、操作部２２１で設定された運転条件に従って駆動部２３５を駆動させる。そして、駆動部２３５の駆動力によってロータ２３１は回転駆動し、ロータ２３１内において遠心分離が行われる。また、ロータ２３１等の運転状態は、制御信号配線２４１を介して制御部２４０に送られ、制御部２４０から操作信号配線２２５を介して操作パネル２２０に送られ、表示部２２２に表示される。
【０００６】
【特許文献１】特開２００３−１２６７３２号公報
【特許文献２】特開平５−２３６１８号公報
【発明の開示】
【発明が解決しようとする課題】
【０００７】
従来の遠心分離機２０１では、遠心分離機２０１の運転条件の設定や、運転状態やアラーム等の表示は、遠心分離機に備えられた操作パネル２２０のみによって行われてきた。
【０００８】
また、従来の遠心分離機２０１は、使用者が在室している居室から隔離された部屋に設置されることが多く、運転状態は遠心分離機２０１に設けられた操作パネル２２０を見ることによってのみ確認される。しかしながら、遠心分離機２０１から離れた場所で使用者が運転状態を把握したいという要望がある。また、設定変更をするためには遠心分離機２０１が設置された場所にいる必要がありとりわけ頻繁に設定変更を行う場合には遠心分離機２０１の側に居る必要があった。
【０００９】
そこで、本発明は、使用者が遠心分離機から離れた場所や居室で他の作業を行いながら遠心分離機の運転状態の把握や、遠心分離機の運転条件の設定や変更を行える遠心分離機を提供することを目的とする。
【課題を解決するための手段】
【００１０】
上記目的を達成するために、本発明は、試料を分離するロータと、ロータを回転駆動する駆動部とを備えた装置部と、装置部の運転を制御する制御部と、少なくとも該ロータの回転時間および回転速度を含む装置部の運転条件の設定操作を行う操作部と、装置部の運転条件と運転状態を表示する表示部とを備え、制御部から離れた場所であって操作パネルとは別に、少なくともロータの回転時間および回転速度を含む装置部の運転条件の設定操作を行う遠隔操作部を有する遠隔操作パネルを備えた遠心分離機を提供している。
【００１１】
ここで、遠隔操作パネルは、遠隔表示部を有する。遠隔表示部は、操作部で設定された装置部の運転条件および／または装置部の運転状態を表示する。
【００１２】
また、操作パネルの操作部には、装置部の運転スタートスイッチと運転ストップスイッチが設けられ、遠隔操作パネルの遠隔操作部には、装置部の遠隔運転スタートスイッチと遠隔運転ストップスイッチが設けられている。
【００１３】
そして、操作パネルの操作部には、装置部の停止操作もしくは装置部への供給電源の遮断操作が可能な緊急停止スイッチが備えられ、遠隔操作パネルの遠隔操作部には、装置部の停止操作もしくは装置部への供給電源の遮断操作が可能な遠隔緊急停止スイッチが備えられている。
【００１４】
また、遠隔操作パネルは、制御部から離れた場所に設けられている。
【００１５】
また、装置部の運転条件は、少なくともロータの回転時間および回転速度を含んでいる。
【００１６】
そして、装置部と、制御部とが同一筐体内に配置されている。また、装置部は、第１筐体内に配置され、遠隔操作パネルは、第１筐体付近に設けられ、制御部は、第２筐体内に配置され、操作パネルは、第２筐体に設けられている。
【発明の効果】
【００１７】
請求項１記載の遠心分離機によれば、操作パネルとは別に、装置部の運転条件の設定操作を行う遠隔操作部を有する遠隔操作パネルを備えているので、運転条件の設定や変更を行う時に、操作パネルの側に行かなくても、別室等に設置された遠隔操作パネルから運転条件の設定や変更を行うことができる。従って、遠心分離作業を効率的に行うことができる。
【００１８】
請求項２または３記載の遠心分離機によれば、遠隔操作パネルは、操作部で設定された装置部の運転条件や装置部の運転状態を表示する遠隔表示部を有しているので、装置部の運転状態を把握する場合や装置部の運転条件の設定や変更を行う時に、操作パネルの側に行かなくても、別室等に設置された遠隔操作パネルによって、装置部の運転状態の把握や運転条件の設定や変更を行うことができる。従って、遠心分離作業を効率的に行うことができる。
【００１９】
請求項４記載の遠心分離機によれば、遠隔操作パネルは、装置部の運転状態を表示する遠隔表示部を有しているので、装置部の運転状態を把握する時に、操作パネルの側に行かなくても、別室等に設置された遠隔操作パネルによって、装置部の運転状態の把握を行うことができる。従って、遠心分離作業を効率的に行うことができる。
【００２０】
請求項５記載の遠心分離機によれば、操作パネルの操作部には、装置部の運転スタートスイッチと運転ストップスイッチが設けられ、遠隔操作パネルの遠隔操作部には、装置部の遠隔運転スタートスイッチと遠隔運転ストップスイッチが設けられているので、装置部の運転開始や停止をする時に、操作パネルの側に行かなくても、別室等に設置された遠隔操作パネルによって、装置部の運転開始や停止をすることができる。従って、遠心分離作業を効率的に行うことができる。
【００２１】
請求項６記載の遠心分離機によれば、操作パネルの操作部には、装置部の停止操作もしくは装置部への供給電源の遮断操作が可能な緊急停止スイッチが備えられ、遠隔操作パネルの遠隔操作部には、装置部の停止操作もしくは装置部への供給電源の遮断操作が可能な遠隔緊急停止スイッチが備えられているので、装置部に異常が生じた場合、装置部の電源を早急に遮断することができる。従って、遠心分離機の安全性の向上を図ることができる。
【００２２】
請求項７記載の遠心分離機によれば、遠隔操作パネルは、制御部から離れた場所に設けられているので、操作パネルの側に行かなくても、別室等に設置された遠隔操作パネルによって、装置部の運転開始や停止をすることができる。従って、遠心分離作業を効率的に行うことができる。
【００２３】
請求項８記載の遠心分離機によれば、装置部の運転条件は、少なくともロータの回転時間および回転速度を含んでいるので、所望の回転時間や回転速度で遠心分離することができる。従って、遠心分離機の使い勝手が向上する。
【発明を実施するための最良の形態】
【００２４】
本発明の第１の実施の形態による遠心分離機について図１を参照しながら説明する。図１に示すように遠心分離機１は、本体をなす筐体１０を有し、筐体１０は、試料から被分離試料の分離を行う装置部３０と装置部３０を制御する制御部４０とを収容している。遠心分離機１は、更に筐体１０上に装置部３０の運転条件を設定する操作パネル２０と、操作パネル２０や装置部３０を有する筐体１０から離れた場所に配置され、操作パネル２０と同様に装置部３０の運転条件の設定が可能な遠隔操作パネル５０とを備えている。
【００２５】
装置部３０は、試料から被分離試料を分離するためのロータ３１を備えており、ロータ３１はロータ室３２に配置されている。ロータ室３２の上側には、ロータ室３２を密閉し、筐体１０の一部を構成するドア３３が設けられている。また、装置部３０には、ロータ３１を回転駆動するため駆動部３４が設けられている。駆動部３４の駆動力は、駆動軸３５を介しロータ３１に伝達される。
【００２６】
操作パネル２０は、ドア３３の上側に配置されている。操作パネル２０には、ロータ３１の回転時間や回転速度等の運転条件の設定操作を行う操作部２１と、運転条件と装置部３０の運転状態を表示する表示部２２とが備えられている。操作部２１には、ロータ３１の回転時間や回転速度等の運転条件を入力するためのテンキー２３と、運転スタートスイッチ２４と、運転ストップスイッチ２５とを有する。操作部２１で運転条件を設定後、運転スタートスイッチ２４を押すことにより、装置部３０の運転を開始させることができ、運転ストップスイッチ２５を押すことにより、装置部３０の運転を停止させることができる。また、表示部２２は、操作部２１で設定された運転条件が表示可能であるとともに、運転開始後において装置部３０の運転中におけるロータ３１の回転速度、試料温度、運転経過時間、アラーム等の運転状態が表示可能である。また、操作パネル２０は、遠心分離機１本体側の電源をＯＦＦすることが可能な緊急停止スイッチ２６を備えている。操作パネル２０と制御部４０とは操作信号配線２７により接続されおり、制御部４０と駆動部３４とは、制御信号配線４１により接続されている。
【００２７】
操作部２１で設定された運転条件は、操作信号配線２７を介して制御部４０へ入力され、制御部４０は、その運転条件に従って制御信号配線４１を介して装置部３０を運転する。また、制御部４０は、装置部３０が運転中の時は制御信号配線４１を介して、ロータ３１の回転速度や試料温度等の運転状態を定期的に取り込み、その運転状態を操作信号配線２７を介して操作パネル２０に送ることが可能である。そして、その運転状態は、表示部２２に表示される
【００２８】
また、制御部４０は、電源配線４２と通信配線４３とによって、操作パネル２０と同様の機能を持つ遠隔操作パネル５０に接続されている。遠隔操作パネル５０は、遠隔操作部５１と遠隔表示部５２とを備えている。遠隔操作部５１は、遠隔テンキー５３と、遠隔運転スタートスイッチ５４と、遠隔運転ストップスイッチ５５とを有する。遠隔テンキー５３はテンキー２３と、遠隔運転スタートスイッチ５４は運転スタートスイッチ２４と、遠隔運転ストップスイッチ５５は運転ストップスイッチ２５と同様の機能を有する。また、遠隔表示部５２は表示部２２と同様の機能を有する。更に遠隔操作パネル５０は、緊急停止スイッチ２６と同様の機能を有する遠隔緊急停止スイッチ５６を有する。尚遠隔操作パネル５０は、電源配線４２や通信配線４３の長さを変更することによって遠心分離機１からの距離を調整し、筐体１０や操作パネル２０から離れた場所や別室などに設置することができる。
【００２９】
そして、遠隔操作部５１で設定された運転条件は、通信配線４３を介して制御部４０に入力され、制御部４０は、その運転条件に従って制御信号配線４１を介して装置部３０を運転する。また、制御部４０は、装置部３０が運転中の時は制御信号配線４１を介して、ロータ３１の回転速度や試料温度等の運転状態を定期的に取り込み、その運転状態を通信配線４３を介して遠隔操作パネル５０に送ることが可能である。そして、その運転状態は、遠隔表示部５２に表示される。
【００３０】
また、操作部２１で設定された運転条件は、表示部２２に表示されるのと同時に、操作信号配線２７、制御部４０および通信配線４３を介して、遠隔表示部５２にも表示される。同様に遠隔操作部５１で設定された運転条件は、遠隔表示部５２に表示されると同時に、通信配線４３、制御部４０および操作信号配線２７を介して、表示部２２にも表示される。従って、操作パネル２０の操作部２１で運転条件を設定後、遠隔操作パネル５０の遠隔運転スタートスイッチ５４を押すことにより、装置部３０を運転させることが可能であり、この逆も可能である。
【００３１】
このような構成であれば、従来のように装置部３０の運転状態を把握する場合や運転条件の設定や変更を行う時に、操作パネル２０の側に行かなくても、別室等に設置された遠隔操作パネル５０によって、装置部３０の運転状態の把握や運転条件の設定や変更を行うことができる。また、装置部３０の運転開始や停止を行う時に、操作パネル２０の側に行かなくても、別室等に設置された遠隔操作パネル５０から装置部３０の運転開始や停止を行うことができる。従って、遠心分離機作業を効率的に行うことができる。
【００３２】
また、操作パネル２０に緊急停止スイッチ２６を設け、遠隔操作パネル５０にも遠隔緊急停止スイッチ５６を設けているので、遠心分離機１本体側に異常が生じた場合、遠心分離機１本体側の電源を早急に遮断ることができる。また、遠隔操作パネル５０に遠隔緊急停止スイッチ５６を設けることで、安全な場所から遠心分離機１を停止することができ、遠心分離機１の安全性の向上を図ることができる。
【００３３】
次に、本発明の第２の実施の形態による遠心分離機１０１について、図２に基づき説明する。図２に示すように遠心分離機１０１は、試料から被分離試料の分離を行う装置部１１０と、装置部１１０を制御する制御部１２０と、装置部１１０の側に配置される遠隔操作パネル１５０とを備えている。装置部１１０と遠隔操作パネル１５０とは、周囲から隔離された装置室１０２に設置され、制御部１２０は、装置室１０２外の制御室１０３に設置され、装置室１０２と制御室１０３との境界である隔壁１０４によって、両室の通気は遮断されている。尚装置室１０２は、例えばクリーンルームである。また、制御部１２０に設けられた後述する減圧ポンプ１４２や図示せぬファンから発生する微粒子やミストを嫌う試料が装置部１１０において遠心分離される。従って、微粒子やミストを発生する制御部１２０を制御室１０３に設置し、試料の分離が行われる装置部１１０を装置室１０２に設置している。
【００３４】
装置部１１０は、試料から被分離試料を分離するためのロータ１１１を備えており、ロータ１１１はロータ室１１２に配置されている。ロータ室１１２の上側には、ロータ室１１２を密閉し、装置部１１０の一部を構成するドア１１３が設けられている。また、装置部１１０には、ロータ１１１を回転駆動するための駆動部１１４が設けられ、駆動部１１４の駆動力は、駆動軸１１５を介してロータ１１１に伝達される。
【００３５】
制御部１２０は、コントロールユニット１４０を有し、コントロールユニット１４０は、装置部１１０を制御するための制御装置１４１と、ロータ室１１２内を減圧するための減圧ポンプ１４２を備えている。更に制御部１２０は、コントロールユニット１４０の上側に装置部１１０の運転条件を設定する操作パネル１３０を有する。
【００３６】
操作パネル１３０は、ロータ１１１の回転時間、回転速度および減圧等の運転条件の設定操作を行う操作部１３１と、運転条件と装置部１１０の運転状態を表示する表示部１３２とが備えられている。操作部１３１には、ロータ１１１の回転時間や回転速度等の運転条件を入力するためのテンキー１３３と、運転スタートスイッチ１３４と、運転ストップスイッチ１３５と、減圧スイッチ１３６とを有する。操作部１３１で運転条件を設定後、運転スタートスイッチ１３４を押すことにより、装置部１１０の運転を開始させることができ、運転ストップスイッチ１３５を押すことにより、装置部１１０の運転を停止させることができる。減圧スイッチ１３６を押すと、減圧ポンプ１４２が作動する。また、表示部１３２は、操作部１３１で設定された運転条件が表示可能であるとともに、運転開始後において、装置部１１０の運転中におけるロータ１１１の回転速度、試料温度、運転経過時間、アラーム等の運転状態が表示可能である。また、操作パネル１３０は、コントロールユニット１４０の電源をＯＦＦすることが可能な緊急停止スイッチ１３７を備えている。
【００３７】
また、操作パネル１３０と制御装置１４１とは、操作信号配線１４３により接続されており、制御装置１４１と、駆動部１１４および減圧ポンプ１４２とは、制御信号配線１４４により接続されている。そして、減圧ポンプ１４２とロータ室１１２とは減圧ホース１４５により接続されている。
【００３８】
操作部１３１で設定された運転条件は、操作信号配線１４３を介して制御装置１４１へ入力され、制御装置１４１は、その運転条件に従って制御信号配線１４４を介して駆動部１１４や減圧ポンプ１４２を運転する。そして減圧ポンプ１４２は、減圧ホース１４５を介して、ロータ室１１２内の大気を吸引し減圧を行う。また、制御装置１４１は、装置部１１０が運転中の時は制御信号配線１４４を介して、ロータ１１１の回転速度や試料温度等の運転状態を定期的に取り込み、その運転状態を操作信号配線１４３を介して操作パネル１３０へ送ることが可能である。そして、その運転状態は、表示部１３２に表示される。
【００３９】
また、制御装置１４１は、電源配線１４６と通信配線１４７とによって、操作パネル１３０と同様の機能を持ち、装置室１０２に設置された遠隔操作パネル１５０に接続されている。遠隔操作パネル１５０は、遠隔操作部１５１と遠隔表示部１５２とを備えている。遠隔操作部１５１は、遠隔テンキー１５３と、遠隔運転スタートスイッチ１５４と、遠隔運転ストップスイッチ１５５と、遠隔減圧スイッチ１５６とを有する。遠隔テンキー１５３はテンキー１３３と、遠隔運転スタートスイッチ１５４は運転スタートスイッチ１３４と、遠隔運転ストップスイッチ１５５は運転ストップスイッチ１３５と、遠隔減圧スイッチ１５６は減圧スイッチ１３６と同様の機能を有する。また、遠隔表示部１５２は表示部１３２と同様の機能を有する。更に遠隔操作パネル１５０は、緊急停止スイッチ１３７と同様の機能を有する遠隔緊急停止スイッチ１５７を有する。
【００４０】
そして、遠隔操作部１５１で設定された運転条件は、通信配線１４７を介して制御装置１４１に入力され、制御装置１４１は、その運転条件に従って制御信号配線１４４を介して装置部１１０と減圧ポンプ１４２とを運転する。また、制御装置１４１は、装置部１１０が運転中の時は制御信号配線１４４を介して、ロータ１１１の回転速度や試料温度等の運転状態を定期的に取り込み、その運転状態を通信配線１４７を介して遠隔操作パネル１５０に送ることが可能である。そして、その運転状態は、遠隔表示部１５２に表示される。
【００４１】
また、操作部１３１で設定された運転条件は、表示部１３２に表示されるのと同時に、操作信号配線１４３、制御装置１４１および通信配線１４７を介して、遠隔表示部１５２にも表示される。同様に遠隔操作部１５１で設定された運転条件は、遠隔表示部１５２に表示されると同時に、通信配線１４７、制御装置１４１および操作信号配線１４３を介して、表示部１３２にも表示される。従って、操作パネル１３０の操作部１３１で運転条件を設定後、遠隔操作パネル１５０の遠隔運転スタートスイッチ１５４を押すことにより、装置部１１０を運転させることが可能であり、この逆も可能である。
【００４２】
また、制御信号配線１４４と、減圧ホース１４５と、電源配線１４６と、通信配線１４７とは、隔壁１０４に気密的に貫通されている。気密的に貫通させる方法としては、ハーメチックシールコネクタや配管用コネクタ等を有する板状の部材をゴム製パッキン等のシール部材を介して、ボルトなどの固定手段によって壁に取付ける等の方法がある。
【００４３】
このように、制御部１２０が配置された制御室１０３に操作パネル１３０を設け、装置部１１０が配置された装置室１０２に遠隔操作パネル１５０を設けているので、制御室１０３と装置室１０２との両方の部屋から、運転条件の設定や変更と運転状態の把握とを行うことができる。また、装置部１１０の運転開始や停止を行う時に、操作パネル１３０の側に行かなくても、装置室１０２の遠隔操作パネル１５０から装置部１１０の運転開始や停止を行うことができる。従って、制御室１０３と装置室１０２との往来を少なくすることができるので、遠心分離作業を効率的に行うことができる。
【００４４】
また、操作パネル１３０に緊急停止スイッチ１３７を設け、遠隔操作パネル１５０にも遠隔緊急停止スイッチ１５７を設けているので、装置部１１０に異常が生じた場合、コントロールユニット１４０の電源を早急に遮断ることができる。従って、遠心分離機１０１の安全性の向上を図ることができる。
【００４５】
本発明による遠心分離機は上述した形態に限定されず、特許請求に記載した範囲で種々の変形や改良が可能である。例えば、第１の実施の形態では、緊急停止スイッチ２６および遠隔緊急停止スイッチ５６を押すことによって、遠心分離機１本体側の電源がＯＦＦされるが、遠心分離機１へ電力を供給している供給電源を遮断しても良い。同様に、第２の実施の形態では、緊急停止スイッチ１３７および遠隔緊急停止スイッチ１５７を押すことによって、コントロールユニット１４０の電源がＯＦＦされるが、遠心分離機１０１へ電力を供給している供給電源を遮断しても良い。
【００４６】
また、第１の実施の形態では、制御部４０と遠隔操作パネル５０との間の配線を、第２の実施の形態では、制御装置１４１と、遠隔操作パネル１５０および装置部１１０との間の配線を有線で行ったが、無線であっても良い。
【００４７】
また、第１の実施の形態において、第２の実施の形態における減圧ポンプ１４２と同様の機能を持つ減圧ポンプを筐体１０内に設け、制御信号配線４１を介して制御部４０と減圧ポンプを接続し、減圧ホース１４５と同様の機能を持つ減圧ホースを介して減圧ポンプとロータ室３２とを接続し、操作部２１および遠隔操作パネル５０に、減圧スイッチ１３６および遠隔減圧スイッチ１５６と同様の機能を持つ減圧スイッチおよび遠隔減圧スイッチを設けて、ロータ室３２内を減圧させ遠心分離を行っても良い。
【図面の簡単な説明】
【００４８】
【図１】本発明の第１の実施の形態にかかる遠心分離機の構成図。
【図２】本発明の第２の実施の形態にかかる遠心分離機の構成図。
【図３】従来の遠心分離機の構成図。
【符号の説明】
【００４９】
１、１０１    遠心分離機、  ２０、１３０    操作パネル、  ２１、１３１    操作部、  ２２、１３２    表示部、  ３０、１１０    装置部、  ３１、１１１    ロータ、  ３４、１１４    駆動部、  ４０、１２０    制御部、  ５０、１５０    遠隔操作パネル、  ５１、１５１    遠隔操作部、  ５２、１５２    遠隔表示部
【図１】
2005121505.tif 000003
【図２】
2005121505.tif 000004
【図３】
2005121505.tif 000005